(57)【要約】【課題】この発明は、利用者の嗜好性に合わせて、内部装置を選択して取り付けることのできるリアコンビネーションランプユニットを提案することを目的とする。【解決手段】車両１００の背面側に配設され、前記車両１００後方から視認可能なリアコンビネーションランプのランプユニット１であって、内部機器５０を取り付ける４以上の部分取付台座２１と、該部分取付台座２１の開放部分を被覆するレンズカバー１０とで構成し、前記部分取付台座２１に、電球５１、ＬＥＤランプ５２、ＣＣＤカメラ５３、並びにコーナーセンサー５４の中から選択した内部機器５０の取付けを許容する固定部２４を備えるとともに、前記レンズカバー１０を、前記部分取付台座２１毎に装着する複数の部分レンズカバー１１で構成とした。【選択図】図２
2008016407.tif 000002
【特許請求の範囲】
【請求項１】
車両の背面側に配設され、前記車両後方から視認可能なリアコンビネーションランプのランプユニットであって、
内部機器を取り付ける４以上の取付台座と、
該取付台座の開放部分を被覆するレンズカバーとで構成し、
前記取付台座に、
複数種類の内部機器うち、選択した内部機器の取付けを許容する選択機器取付手段を備えた
リアコンビネーションランプユニット。
【請求項２】
前記レンズカバーを、
前記取付台座毎に装着する複数の部分レンズカバーで構成した
請求項１に記載のリアコンビネーションランプユニット。
【請求項３】
前記部分レンズカバーに、
前記部分レンズカバー同士を接続するレンズカバー接続手段を備えた
請求項２に記載のリアコンビネーションランプユニット。
【請求項４】
前記レンズカバー接続手段を、
前記部分レンズカバー同士を面一に接続する構成とした
請求項３に記載のリアコンビネーションランプユニット。
【発明の詳細な説明】
【技術分野】
【０００１】
この発明は、車両の後方から視認可能なリアコンビネーションランプのランプユニットに関する。
【背景技術】
【０００２】
外装部分に、ランプ以外のセンサーやカメラを装着する車両が増加している現在において、コーナーセンサーやカメラの装着を許容するランプユニットが提案されている（特許文献１参照）。このランプユニットは、コーナーランプと、ＣＣＤカメラと、コーナーセンサーとを装着するための装着手段を備えている。  
これにより、バンパーの所定位置に、納まりよくコーナーランプと、ＣＣＤカメラと、コーナーセンサーとを装着することができる。
【０００３】
しかし、ＣＣＤカメラ、コーナーセンサー以外にも、フォグランプや、マイクロレーダ波発信装置等、車両の外装に装着する装置の種類は増加している。また、利用者によっては、取付けを希望する装置が異なることが多い。このような状況において、上記ランプユニットでは、種類が増加している様々な装置や取付ける装置が異なる可能性のある利用者の希望に、柔軟に対応することは困難であった。
【０００４】
【特許文献１】特開２００１−１５８２８４号公報
【発明の開示】
【発明が解決しようとする課題】
【０００５】
この発明は、利用者の嗜好性に合わせて、内部装置を選択して取り付けることのできるリアコンビネーションランプユニットを提案することを目的とする。
【課題を解決するための手段】
【０００６】
この発明は、車両の背面側に配設され、前記車両後方から視認可能なリアコンビネーションランプのランプユニットであって、内部機器を取り付ける４以上の取付台座と、該取付台座の開放部分を被覆するレンズカバーとで構成し、前記取付台座に、複数種類の内部機器うち、選択した内部機器の取付けを許容する選択機器取付手段を備えたことを特徴とする。
【０００７】
上記リアコンビネーションランプユニットとは、少なくともリアウィンカーランプ、バックランプ並びにブレーキランプを備えたリアコンビネーションランプのランプユニットであり、上記ランプのそれぞれはその車両を運転するドライバーの操作によって点灯や点滅等するものである。これにより、前記ドライバーの運転意思を車両後方への伝達することができる。
【０００８】
上記内部機器は、リアウィンカーランプ、バックランプ、ブレーキランプ及びにバックフォグランプ等を形成する電球やLEDのような発光体、画像を撮影するカメラ、コーナーセンサー、並びにマイクロレーダ波発信装置等であることを含む。
【０００９】
上記４以上の取付台座は、一体に形成された４以上の取付台座、或いはそれぞれが別体で形成された４以上の取付台座であることを含む。  
上記レンズカバーは、透明或いは半透明なガラス製または樹脂製で形成されたカバーであることを含む。
【００１０】
これにより、リアコンビネーションランプに取付けなければならないリアウィンカーランプ、バックランプ、並びにブレーキランプ以外に、利用者は自分の嗜好に合わせた内部機器を選択して装着することができる。これにより、利用者の満足度を向上させることができる。
【００１１】
この発明の態様として、前記レンズカバーを、前記取付台座毎に装着する複数の部分レンズカバーで構成することができる。  
上記部分レンズカバーとは、それぞれを組み合わせることによって前記レンズカバーとなる構成であり、前記レンズカバーの分割した一部であることを含む。
【００１２】
これにより、取付台座ごとに部分レンズカバーを装着できる。したがって、取付台座に選択して取り付けた内部機器の種類に合わせた部分レンズカバーを装着することができる。  
また、レンズカバーが破損した場合であっても、レンズカバー全体を交換せずとも、破損した部分レンズカバーのみを交換すればよい。したがって、利用者の利便性を向上することができる。
【００１３】
また、この発明の態様として、前記部分レンズカバーに、前記部分レンズカバー同士を接続するレンズカバー接続手段を備えることができる。  
レンズカバー接続手段は、嵌着、接着、或いは螺子止め等による接続手段であることを含む。
【００１４】
これにより、取付台座毎に装着される部分レンズカバーを、予め一体化してから取付台座に装着でき、利用者の利便性が向上する。また、部分レンズカバー同士を接続して取付台座に装着しているため、一部の部分カバーレンズが取付台座から脱落するという惧れを防止している。
【００１５】
また、この発明の態様として、前記レンズカバー接続手段を、前記部分レンズカバー同士を面一に接続する構成とすることができる。  
上記面一な接続は、車両に装着した際に、接続箇所の背面部分、及び側面部分を凹凸のない面状を形成するような接続であることを含む。  
これにより、リアコンビネーションランプのデザインを向上させるとともに、上記効果を得ることができる。
【発明の効果】
【００１６】
この発明によれば、利用者の嗜好性に合わせて、内部装置を選択して取り付けることのできるリアコンビネーションランプユニットを提案することを目的とする。
【発明を実施するための最良の形態】
【００１７】
この発明の一実施形態を以下図面と共に説明する。  
リアコンビネーションランプユニット１を装着した車両１００の背面左上から見た斜視図を示す図１と、正面図と側面図とを用いたリアコンビネーションランプユニット１の説明図を示す図２、断面図と拡大背面図とを用いたリアコンビネーションランプユニット１の説明図を示す図３、リアコンビネーションランプユニット１の側方から見た組み立て説明図を示す図４、部分レンズカバー１１の接続部分の拡大図を示す図５、リアコンビネーションランプユニット１に装着する内部機器５０の斜視図を示す図６、選択した内部機器５０を取り付けたリアコンビネーションランプユニット１を装着した車両１００の背面左上から見た斜視図を示す図７とともに、リアコンビネーションランプユニット１について説明する。
【００１８】
図１に示すように、リアコンビネーションランプユニット１は、上端を回動軸とするバックドア１０１を備えたミニバンタイプの車両１００の該バックドア１０１の左右両側に備えられている。なお、リアコンビネーションランプユニット１は車両１００の後方左右角部に装着されるとともに、リアコンビネーションランプユニット１の外部から目視可能な背面部分及び側面部分の車両１００の側面や上記バックドア１０１に適合する縦長形状で形成されている。
【００１９】
リアコンビネーションランプユニット１は、内部機器を取り付ける取付台座２０と、取付台座２０の開放された背面側を覆うように装着するレンズカバー１０とで構成している。取付台座２０は複数の部分取付台座２１を一体に形成して構成し、レンズカバー１０は部分取付台座２１の大きさに適合した部分レンズカバー１１を接続して構成している。換言するならば、リアコンビネーションランプユニット１は、部分取付台座２１と部分レンズカバー１１とで構成された部分ユニット２を上下方向に連接して構成している。
【００２０】
また、リアコンビネーションランプユニット１を機能別に大別すると、上から順にブレーキランプ部３０、ウィンカーランプ部３１、並びにバックランプ部３２とで構成されている。なお、上記ランプ部のそれぞれの高さの構成比率は、およそ３：１：１で構成されている。
【００２１】
なお、ブレーキランプ部３０はブレーキランプ部３０を高さ方向に略3等分した部分ユニット２を３つ上下方向に連接して構成し、ウィンカーランプ部３１及びバックランプ部３２はそれぞれを高さ方向に略２等分した部分ユニット２を上下方向に連接して構成している。
【００２２】
次に部分ユニット２について詳述する。リアコンビネーションランプユニット１の高さ方向略中央付近の平面方向断面図である図３（ａ）に示すように、部分ユニット２は、内部機器５０を装着する部分取付台座２１と、部分取付台座２１の背面側（図３（ａ）において上面側）の開放部分を覆う略への字断面の部分レンズカバー１１とで構成されている。
【００２３】
部分取付台座２１は背面視中央に備えた縦長の御椀型で内面が反射加工されたリフレクタ部２２と、リフレクタ部２２の中央底部を貫通する貫通孔２４ａを形成し、内部機器５０の取付フランジ５０ｂと嵌合して内部機器５０を固定する固定部２４と、リアコンビネーションランプユニット１を車両１００に取付た状態で固定部２４の上方を逆Ｕ字型に囲む庇部２５と、リアコンビネーションランプユニット１を車両１００に固定する固定フランジ部２３とで構成されている。なお、上記貫通孔２４ａは、内部機器５０の装置部分５０ａの貫通を許容する開口径を有して形成されている。
【００２４】
部分レンズカバー１１は透明性樹脂材で、装着する部分取付台座２１、及び部分取付台座２１に取付ける内部機器５０に適合する形状で形成されており、リフレクタ部２２を背面側から覆う態様で部分取付台座２１に取り付けられる。
【００２５】
これにより、部分レンズカバー１１の内面（図３（ａ）において下面側）と、リフレクタ部２２とで略密閉された取付空間２ａを形成することができる。なお、取付空間２ａは上述したように略密閉されているが、内部機器５０の温度上昇等に起因する呼吸現象によって部分レンズカバー１１内面が水蒸気等で曇ることを防止する通気手段２６を備えている。通気手段２６は、側面視コの字型が中空ゴムパイプと、リフレクタ部２２に備え、ゴムパイプを取り付ける取付口とで構成され、中空ゴムパイプ、及び取付口とによって取付空間２ａの内外を連通している。
【００２６】
次に、上述したような構成である部分ユニット２を上下方向に７個連接して構成したリアコンビネーションランプユニット１の組立構造について説明する。  
上述したように、図４（ｃ）の矢印Ｂに示すように、レンズカバー１０は部分レンズカバー１１を上下方向に接続して構成している。詳述すると、図４（ｃ）のａ部の拡大図である図５に示すように、部分レンズカバー１１（１１ａ〜１１ｇ）の接続部分（１１ａの下端、１１ｂ〜１１ｆの上下端、１１ｇの上端）である薄肉部１２に備えた接続凸部１２ａと接続凹部１２ｂを嵌合させて部分レンズカバー１１同士を接続している。このようにして、各部分取付台座２１に適合する形状の部分レンズカバー１１を組み合わせて形成したレンズカバー１０を、図４（ａ）、（ｂ）の矢印Ａに示すように、部分取付台座２１を上下方向に配設して一体に形成した取付台座２０にレンズカバー１０を装着してリアコンビネーションランプユニット１を構成している。
【００２７】
次に、図６とともに、リアコンビネーションランプユニット１に取付ける内部機器５０について説明する。図６（ａ）〜（ｄ）には、リアコンビネーションランプユニット１に取り付けることのできる内部機器５０を例示しているが、これに限定されずこの他の機器であってもよい。
【００２８】
図６（ａ）に示す電球５１は、電球部５１ａと、取付フランジ５１ｂと、一端が電気供給部に接続された電気コード５５と電気的に接続するアタッチメント５１ｃとで構成されている。電球５１は、ブレーキランプ、ウィンカーランプ、バックランプ、並びにフォグランプの発光体としてリアコンビネーションランプユニット１に取り付けられる。
【００２９】
図６（ｂ）に示すＬＥＤランプ５２は、ＬＥＤ発光部５２ａと、取付フランジ５２ｂと、一端が電気供給部に接続された電気コード５５と電気的に接続するアタッチメント５２ｃとで構成されている。ＬＥＤランプ５２は、ブレーキランプ、ウィンカーランプ、バックランプ、並びにフォグランプの発光体としてリアコンビネーションランプユニット１に取り付けられる。
【００３０】
図６（ｃ）に示すＣＣＤカメラ５３は、上面中央にレンズ部５３ａａを備えたカメラ部５３ａと、取付フランジ５３ｂと、一端が電気供給部に接続された電気コード５５と電気的に接続するアタッチメント５３ｃとで構成されている。ＣＣＤカメラ５３は、バックモニタに表示する車両１００後方の映像を撮影するためのカメラとしてリアコンビネーションランプユニット１に取り付けられる。
【００３１】
図６（ｄ）に示すコーナーセンサー５４は、超音波を発する発射部５４ａａを備えたセンサー部５４ａと、取付フランジ５４ｂと、一端が電気供給部に接続された電気コード５５と電気的に接続するアタッチメント５４ｃとで構成されている。コーナーセンサー５４は、車両１００の背面部から障害物までの距離を測定するためのセンサーとしてリアコンビネーションランプユニット１に取り付けられる。
【００３２】
なお、取付フランジ５０ｂ（５１ｂ〜５４ｂ）には、径外方向に突出して形成した係合凸部５０ｂａ（５１ｂａ〜５４ｂａ）、５０ｂｂ（５１ｂｂ〜５４ｂｂ）を外周を４分割する方向に備えている。それぞれが対向する１組の係合凸部５０ｂａは、他方の１組の係合凸部５０ｂｂより幅広に形成し、上述する固定部２４に係合する形状に形成している。
【００３３】
このようにして、内部機器５０（５１〜５４）は、その種類に応じて異なる装置部分５０ａを備えているが、取付フランジ５０ｂの形状を同一に形成しているため、どの内部機器５０であっても、取付台座２０の固定部２４に取り付けることができる。
【００３４】
上記構成により、利用者は電球５１、ＬＥＤランプ５２、ＣＣＤカメラ５３、並びにコーナーセンサー５４の中から所望の内部機器５０を選択し、リアコンビネーションランプユニット１の固定部２４に嵌合させて所望の内部機器５０を部分ユニット２に取り付けることができる。
【００３５】
詳述すると、例えば、図７に示すように、リアコンビネーションランプユニット１の上部のブレーキランプ部３０のうち、上２つの部分ユニット２には電球５１を取り付け、通常のブレーキランプ３０ａとして機能させる。そしてブレーキランプ部３０下側の部分ユニット２にＬＥＤランプ５２を装着し、バックフォグランプ３０ｂとして機能させる。なお、ブレーキランプ３０ａ及びバックフォグランプ３０ｂには赤色透明の部分レンズカバー１１を装着している。
【００３６】
ウィンカーランプ部３１のうち、上側の部分ユニット２には電球５１を取り付け、通常のウィンカーランプ３１ａとして機能させる。そしてウィンカーランプ部３１下側の部分ユニット２にＣＣＤカメラ５３を装着し、バックカメラ３１ｂとして機能させる。なお、ウィンカーランプ３１ａ及びバックカメラ３１ｂには無色透明の部分レンズカバー１１を装着している。
【００３７】
バックランプ部３２のうち、上側の部分ユニット２にはコーナーセンサー５４を取り付け、コーナーセンサー３２ａとして機能させ、そしてバックランプ部３２下側の部分ユニット２に電球５１を装着し、通常のバックランプ３２ｂとして機能させる。なお、コーナーセンサー３２ａ及びバックランプ３２ｂには無色透明の部分レンズカバー１１を装着しているが、コーナーセンサー３２ａの部分レンズカバー１１には、コーナーセンサー５４から発せられる超音波の通過を許容する超音波貫通孔３２ａａを備えている。
【００３８】
このようにして、利用者は、ブレーキランプ部３０、ウィンカーランプ部３１並びにバックランプ部３２にそれぞれ自分の嗜好性に合わせた内部機器５０を取り付けることができ、利用者の満足度を向上することができる。
【００３９】
また、内部機器５０の取付フランジ５０ｂの形状を統一し、部分取付台座２１に固定部２４を備えたことによって、装置部分５０ａの種類によらず、選択した内部機器５０をリアコンビネーションランプユニット１に装着することができる。
【００４０】
また、通常、ＣＣＤカメラ５３やコーナーセンサー５４を車両１００に取り付ける場合、バンパー部分１０２やボディ等に孔開け等の加工を施して取り付ける必要があるが、リアコンビネーションランプユニット１を用いることによって、車両１００のバンパー部分１０２等に加工せずとも容易にＣＣＤカメラ５３やコーナーセンサー５４等を取り付けることができる。また、車両１００の背面のデザインを損なうことなくＣＣＤカメラ５３やコーナーセンサー５４等の内部機器５０を取り付けることができる。
【００４１】
また、ＣＣＤカメラ５３やコーナーセンサー５４をリアコンビネーションランプユニット１内部に取り付けたことによって、ＣＣＤカメラ５３やコーナーセンサー５４が盗難によって紛失する惧れをなくしている。  
なお、ＣＣＤカメラ５３やコーナーセンサー５４の取付を希望しない利用者は、バックフォグランプ３０ｂ、バックカメラ３１ｂ、並びにコーナーセンサー３２ａに電球５１を取り付けても良い。このようにして、利用者の嗜好に合わせたブレーキランプ部３０、ウィンカーランプ部３１、並びにバックランプ部３２の構成できるため利用者の満足度を向上させることができる。また、例えば、ブレーキランプ部３０、ウィンカーランプ部３１、並びにバックランプ部３２の順番を入れ替えることも可能である。
【００４２】
また、ＣＣＤカメラ５３やコーナーセンサー５４を電気コード５５で接続したが、ＣＣＤカメラ５３やコーナーセンサー５４での撮影画像や受信結果を図示省略する無線手段で発信し、車両１００の車内に備えた受信手段で受信する構成であってもよい。これにより、電気コード５５を車内側に接続せずともＣＣＤカメラ５３やコーナーセンサー５４から撮影画像や受信結果を車両１００の車内で受信することができるため、ＣＣＤカメラ５３やコーナーセンサー５４の接続手間が省けるため、利用者の満足度を向上させることができる。
【００４３】
また、ＣＣＤカメラ５３を取付けた部分ユニット２の部分レンズカバー１１を電子くもりガラスで構成してもよい。上記電子くもりガラスは液晶シートを透明樹脂板で挟みこんで形成され、通常時は液晶シートが不透明状態であるが、通電時においては液晶シートの液晶が整列して透明性を有する樹脂板である。
【００４４】
これにより、通常時においては、不透明状態の電子くもりガラスによってリアコンビネーションランプユニット１外部からＣＣＤカメラ５３を取付けていることは目視できず、バック等のＣＣＤカメラ５３を使用する際に電子くもりガラスを通電して透明にしてＣＣＤカメラ５３で後方の映像を撮影することができる。したがって、不透明状態において車両後方のデザインを損なわず、使用時においてＣＣＤカメラ５３の撮影性能を低下させずにＣＣＤカメラ５３を容易にリアコンビネーションランプユニット１に取付けることができる。
【００４５】
なお、本実施例においてはブレーキランプ部３０、ウィンカーランプ部３１、並びにバックランプ部３２が上下方向に連接したリアコンビネーションランプユニット１に説明したが、図８に示すような略四角形状に配置したリアコンビネーションランプユニット１ａであってもよい。
【００４６】
この場合、リアコンビネーションランプユニット１ａは３行３列のマトリックス状に配置した部分ユニット２を一体に形成すればよい。なお、３行３列のマトリックス状に配置した部分ユニット２のうち、左側の３行２列分をブレーキランプ部３０、右上側にウィンカーランプ部３１、並びに右下側の２行分をバックランプ部３２として構成している。
【００４７】
この場合においても、リアコンビネーションランプユニット１ａの高さ方向中央付近の断面図である図９に示すように、部分ユニット２のそれぞれに内部機器５０を選択して１つずつ取り付けることによって、リアコンビネーションランプユニット１ａを利用者の嗜好に合わせて選択した内部機器５０を取り付けることができる。
【００４８】
上述した実施例においては、接続可能に構成した部分レンズカバー１１を接続したレンズカバー１０を、複数の部分取付台座２１を一体に形成した取付台座２０に装着してリアコンビネーションランプユニット１，１ａを構成したが、別体形成した部分取付台座２１を接続して取付台座２０に構成しても良い。この場合、部分取付台座２１を配置する箇所及び取り付ける内部機器５０に応じて部分取付台座２１の形状を適宜形成すればよい。これにより、選択した内部機器５０をさらに適切な状態で取付けたリアコンビネーションランプユニット１を用いることができる。
【００４９】
この発明の構成と、上述の実施形態との対応において、
内部機器は、内部機器５０、電球５１、ＬＥＤランプ５２、ＣＣＤカメラ５３、並びにコーナーセンサー５４に対応し、
以下同様に、
取付台座は、取付台座２０及び部分取付台座２１に対応し、
選択機器取付手段は、固定部２４に対応し、
レンズカバー接続手段は、接続凸部１２ａ及び接続凹部１２ｂに対応するも
この発明は、上述の実施形態の構成のみに限定されるものではなく、多くの実施の形態を得ることができる。
【図面の簡単な説明】
【００５０】
【図１】リアコンビネーションランプユニットを装着した車両の背面左上から見た斜視図。
【図２】正面図と側面図とを用いたリアコンビネーションランプユニットの説明図。
【図３】断面図と拡大背面図とを用いたリアコンビネーションランプユニットの説明図。
【図４】リアコンビネーションランプユニットの側方から見た組み立て説明図。
【図５】部分レンズカバーの接続部分の拡大図。
【図６】リアコンビネーションランプユニットに装着する内部機器の斜視図。
【図７】選択した内部機器を取り付けたリアコンビネーションランプユニットを装着した車両の背面左上から見た斜視図。
【図８】他の実施形態のリアコンビネーションランプユニットの背面左上から斜視図。
【図９】他の実施形態のリアコンビネーションランプユニットの高さ方向中央付近の断面図。
【符号の説明】
【００５１】
１，１ａ…リアコンビネーションランプユニット
１０…レンズカバー
１１…部分レンズカバー
１２ａ…接続凸部
１２ｂ…接続凹部
２０…取付台座
２１…部分取付台座
２４…固定部
５０…内部機器
５１…電球
５２…ＬＥＤランプ
５３…ＣＣＤカメラ
５４…コーナーセンサー
１００…車両
【図１】
2008016407.tif 000003
【図２】
2008016407.tif 000004
【図３】
2008016407.tif 000005
【図４】
2008016407.tif 000006
【図５】
2008016407.tif 000007
【図６】
2008016407.tif 000008
【図７】
2008016407.tif 000009
【図８】
2008016407.tif 000010
【図９】
2008016407.tif 000011